(57)【要約】【課題】本発明は床用目地プレートの遊端部が上方へ回動しても、可動壁用目地プレートをほぼ水平状態で上昇できるようにして、損傷を効率よく阻止することができる目地装置を得るにある。【解決手段】一方の建物の目地部側床躯体に反目地部側が傾斜面に形成されたスライド凹部と、このスライド凹部を遊端部が覆い後端部が他方の建物の目地部側床躯体に遊端部が上下方向に回動可能に支持具で支持された床用目地プレートと、左右の建物の壁躯体間の下部を除く目地部を覆う後端部が他方の建物の壁躯体にヒンジ部材で枢支され遊端部が一方の建物の壁躯体によって内側方向に回動可能に取付けられた壁用目地プレートと、この壁用目地プレートの下端部に上下移動可能に取付けられた下端部が床用目地プレートと当接する可動壁用目地プレートと、床用目地プレートの遊端部が上方へ回動し可動壁用目地プレートの一方の建物側が上昇すると他方の建物側も上昇させてほぼ水平状態で上昇させることができる可動壁用目地プレート水平移動機構とで目地装置を構成している。【選択図】  図２
2004238822.tif 000002
【特許請求の範囲】
【請求項１】
目地部を介した左右の建物の、一方の建物の目地部側床躯体に反目地部側が傾斜面に形成されたスライド凹部と、このスライド凹部を遊端部が覆い、後端部が前記左右の建物の他方の建物の目地部側床躯体に遊端部が上下方向に回動可能に支持具で支持された床用目地プレートと、前記左右の建物の壁躯体間の下部を除く目地部を覆う後端部が他方の建物の壁躯体にヒンジ部材で枢支され、遊端部が一方の建物の壁躯体によって内側方向に回動可能に取付けられた壁用目地プレートと、この壁用目地プレートの下端部に上下移動可能に取付けられた下端部が前記床用目地プレートと当接する可動壁用目地プレートと、前記床用目地プレートの遊端部が上方へ回動し、前記可動壁用目地プレートの一方の建物側が上昇すると他方の建物側も上昇させて、ほぼ水平状態で上昇させることができる可動壁用目地プレート水平移動機構とからなることを特徴とする目地装置。
【請求項２】
可動壁用目地プレート水平機構は床用目地プレートの一方の建物の目地部側床躯体寄りの部位に、該床用目地プレートの遊端部が上下方向へ回動するように移動した場合に、該目地部側床躯体によって回動するように枢支された作動アームと、前記床用目地プレートの後端部寄りの部位で可動壁用目地プレートの下端部を上方へ押し上げるように回動可能に取付けられた押し上げアームと、前記作動アームが回動すると前記押し上げアームが上方へ突出するように回動させることができるワイヤー、バー等の作動杆とからなることを特徴とする請求項１記載の目地装置。
【発明の詳細な説明】
【０００１】
【発明の属する技術分野】
本発明は目地部を介した左右の建物の床および壁面部分の目地部を覆う目地装置に関する。
【０００２】
【従来の技術】
従来のこの種の目地装置は、目地部を介した左右の建物の一方の建物の目地部側床躯体に反目地部側が傾斜面に形成されたスライド凹部と、このスライド凹部を遊端部が覆い、後端部が前記左右の建物の他方の建物の目地部側床躯体に遊端部が上下方向に回動可能に支持具で支持された床用目地プレートと、前記左右の建物の壁躯体間の下部を除く目地部を覆う後端部が他方の建物の壁躯体にヒンジ部材で枢支され、遊端部が一方の建物の壁躯体によって内側方向に回動可能に取付けられた壁用目地プレートと、この壁用目地プレートの下端部に上下移動可能に取付けられた下端部が前記床用目地プレートと当接する可動壁用目地プレートとで構成されている。
【０００３】
【発明が解決しようとする課題】
従来の目地装置は地震等によって目地部が狭くなるように揺れ動いた場合、床用目地プレートの遊端部が上方へ回動するため、該床用目地プレートの遊端部側の可動壁用目地プレートを押し上げる。
このため、可動壁用目地プレートには回動させる力が加わり、スムーズに可動壁用目地プレートが上方へ移動できず、損傷させてしまうという欠点があった。
【０００４】
本発明は以上のような従来の欠点に鑑み、床用目地プレートの遊端部が上方へ回動しても、可動壁用目地プレートをほぼ水平状態で上昇できるようにして、損傷を効率よく阻止することができる目地装置を提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【０００６】
【課題を解決するための手段】
上記目的を達成するために、本発明は目地部を介した左右の建物の、一方の建物の目地部側床躯体に反目地部側が傾斜面に形成されたスライド凹部と、このスライド凹部を遊端部が覆い、後端部が前記左右の建物の他方の建物の目地部側床躯体に遊端部が上下方向に回動可能に支持具で支持された床用目地プレートと、前記左右の建物の壁躯体間の下部を除く目地部を覆う後端部が他方の建物の壁躯体にヒンジ部材で枢支され、遊端部が一方の建物の壁躯体によって内側方向に回動可能に取付けられた壁用目地プレートと、この壁用目地プレートの下端部に上下移動可能に取付けられた下端部が前記床用目地プレートと当接する可動壁用目地プレートと、前記床用目地プレートの遊端部が上方へ回動し、前記可動壁用目地プレートの一方の建物側が上昇すると他方の建物側も上昇させて、ほぼ水平状態で上昇させることができる可動壁用目地プレート水平移動機構とで目地装置を構成している。
【０００７】
【発明の実施の形態】
以下、図面に示す実施の形態により、本発明を詳細に説明する。
【０００８】
図１ないし図８に示す本発明の第１の実施の形態において、１は目地部２を介した左右の建物３、３の床目地部２ａおよび壁目地部２ｂを覆う本発明の目地装置で、この目地装置１は前記左右の建物３、３の一方の建物３の目地部側床躯体４に反目地部側が傾斜面５に形成されたスライド凹部６と、前記左右の建物３、３の他方の建物３の目地部側床躯体４に形成された床用目地プレート支持凹部７と、この床用目地プレート支持凹部７に後端部が支持され、遊端部が前記スライド凹部６を覆う先端部の下部が傾斜面８の床用目地プレート９と、この床用目地プレート９の後端部を遊端部が上下方向に回動可能に支持する、前記床用目地プレート支持凹部７に固定された複数個の逆Ｌ字状の支持片１０および、該支持片１０がそれぞれ挿入される床用目地プレート９の後端部寄りの部位に形成された支持片挿入凹部１１とからなる支持具１２と、前記左右の建物３、３の壁目地部２ｂの下部を除く部位を覆う後端部が他方の建物３の壁躯体１３にヒンジ部材１４で枢支され、遊端部が一方の建物３のスライド凹部１５が形成された壁躯体１３によって内側方向にだけ回動可能に取付けられた先端部の背面が傾斜面１６の筒状の壁用目地プレート１７と、この壁用目地プレート１７の下端部内に上下移動可能に取付けられた下端部が前記床用目地プレート９と当接する可動壁用目地プレート１８と、前記壁用目地プレート１７の遊端部を常時一方の建物３の壁躯体１３に当接するように付勢する付勢スプリング１９と、前記床用目地プレート９の遊端部が上方へ回動し、前記可動壁用目地プレート１８の一方の建物３側が上昇すると他方の建物３側も上昇させて、ほぼ水平状態で上昇させることができる可動壁用目地プレート水平移動機構２０とで構成されている。
【０００９】
前記可動壁用目地プレート水平移動機構２０は、前記床用目地プレート９の前記一方の建物３の目地部側の床躯体４寄りの部位、本発明の実施の形態では該目地部側の床躯体４と当接する部位に、床用目地プレート９の遊端部が上下方向に回動するように移動した場合に、目地部側床躯体４によって回動するように枢支ピン２１で枢支された作動アーム２２と、前記床用目地プレート９の後端部寄りの部位で、前記可動壁用目地プレート１８の下端部を上方へ押し上げられるように枢支ピン２３によって回動可能に取付けられた押し上げアーム２４と、前記作動アーム２２が回動すると前記押し上げアーム２４が上方へ突出するように回動させるように一端部が作動アーム２２に取付けられ、他端部が押し上げアーム２４に取付けられたワイヤー、バー等の作動杆２５とで構成されている。
【００１０】
上記構成の目地装置１は、通常時は床目地部２ａおよび壁目地部２ｂは床用目地プレート９および壁用目地プレート１７と可動壁用目地プレート１８で覆われた状態となっている。
地震等によって左右の建物３、３が揺れ動いて、床目地部２ａおよび壁目地部２ｂが狭くなった場合、図５および図６に示すように床用目地プレート９の遊端部がスライド凹部６の傾斜面５上をスライド移動し、上方へ回動するとともに、可動壁用目地プレート水平機構２０の作動アーム２２が一方の建物３の目地部側の床躯体４によって矢印方向に回動し、作動杆２５を引張り、押し上げアーム２４を押し上げ方向に回動させる。
この時、壁用目地プレート１７の遊端部が一方の建物３の壁躯体１３によって内側方向に回動されるとともに、可動壁用目地プレート１８の下端部が床用目地プレート９の遊端部側と押し上げアーム２４によってほぼ水平状態で押し上げ、損傷することなく揺れ動きを吸収する。
揺れ動きが停止すると、床用目地プレート９は自重により元の状態に戻るとともに、壁用目地プレート１７は付勢スプリング１９の付勢力により、元の状態に戻る。
また、可動壁用目地プレート１８は自重により、元の状態に自動的に戻る。
【００１１】
地震等によって左右の建物３、３が揺れ動いて、床目地部２ａおよび壁目地部２ｂが広くなった場合、図７および図８に示すように床用目地プレート９の遊端部がスライド凹部６上をスライド移動するとともに、壁用目地プレート１７および可動壁用目地プレート１８の遊端部がスライド凹部１５をスライド移動して、その揺れ動きを吸収し、揺れ動きが停止すると自動的に元の状態に戻る。
【００１２】
【発明の異なる実施の形態】
次に、図９ないし図１７に示す本発明の異なる実施の形態につき説明する。なお、これらの本発明の異なる実施の形態の説明に当って、前記本発明の第１の実施の形態と同一構成部分には同一符号を付して重複する説明を省略する。
【００１３】
図９ないし図１１に示す本発明の第２の実施の形態において、前記本発明の第１の実施の形態と主に異なる点は、スライド凹部６をカバー材２６で覆い、床用目地プレート９の遊端部にカバープレート２７をヒンジ部材２８で回動可能に取付けるとともに、壁用目地部２ｂの幅寸法の壁用目地プレート１７Ａおよび可動壁用目地プレート１８Ａを用いた点で、このように構成した目地装置１Ａにしても、前記本発明の第１の実施の形態と同様な作用効果が得られる。
【００１４】
図１２ないし図１４に示す本発明の第３の実施の形態において、前記本発明の第１の実施の形態と主に異なる点は、床用目地プレート９の後端部を床用目地プレート支持凹部を形成することなく、他方の目地部側の床躯体４に支持具としてのヒンジ部材２９を用いて取付けるとともに、両端部が左右の建物３、３の壁躯体１３、１３に支持される筒状の壁用目地プレート１７Ｂと、この壁用目地プレート１７Ｂを常時壁躯体１３、１３に当接するように付勢する付勢スプリング３０を用いた複数個の取付金具３１と、前記壁用目地プレート１７Ｂの下部両端部に凹状に形成されたレール３２、３２にスライド移動可能に取付けられた可動壁用目地プレート１８Ｂとを用いた点で、このように構成した目地装置１Ｂにしても、前記本発明の第１の実施の形態と同様な作用効果が得られる。
【００１５】
図１５ないし図１７に示す本発明の第４の実施の形態において、前記本発明の第１の実施の形態と主に異なる点は、他方の建物３の目地部側の床躯体４に目地部方向に突出するように固定された支持部材３３と、この支持部材３３の先端部に後部寄りの部位が枢支ピン３４で枢支された先端部が可動壁用目地プレート１８の下面と当接する押し上げアーム３５と、この押し上げアーム３５の後端部を床用目地プレート９が回動する場合に回動方向に移動する下部後端部に係止する係止片３６とからなる可動壁用目地プレート水平移動機構２０Ａを用いた点で、このように構成した目地装置１Ｃにしても、前記本発明の第１の実施の形態と同様な作用効果が得られる。
【００１６】
【発明の効果】
以上の説明から明らかなように、本発明にあっては次に列挙する効果が得られる。
【００１７】
（１）目地部を介した左右の建物の、一方の建物の目地部側床躯体に反目地部側が傾斜面に形成されたスライド凹部と、このスライド凹部を遊端部が覆い、後端部が前記左右の建物の他方の建物の目地部側床躯体に遊端部が上下方向に回動可能に支持具で支持された床用目地プレートと、前記左右の建物の壁躯体間の下部を除く目地部を覆う後端部が他方の建物の壁躯体にヒンジ部材で枢支され、遊端部が一方の建物の壁躯体によって内側方向に回動可能に取付けられた壁用目地プレートと、この壁用目地プレートの下端部に上下移動可能に取付けられた下端部が前記床用目地プレートと当接する可動壁用目地プレートと、前記床用目地プレートの遊端部が上方へ回動し、前記可動壁用目地プレートの一方の建物側が上昇すると他方の建物側も上昇させて、ほぼ水平状態で上昇させることができる可動壁用目地プレート水平移動機構とで構成されているので、床用目地プレートの遊端部が上方へ回動した場合、可動壁用目地プレート水平移動機構によって、壁用目地プレートの下端部にスライド移動可能に取付けられた可動壁用目地プレートをほぼ水平状態で上方へ移動させることができる。
したがって、可動壁用目地プレートがスムーズに上方へスライド移動し、損傷するのを確実に阻止することができる。
【００１８】
（２）前記（１）によって、可動壁用目地プレート水平移動機構は床用目地プレートの回動によって自動的に作動させることができる。
したがって、確実に作動させることができる。
【００１９】
（３）請求項２も前記（１）、（２）と同様な効果が得られるとともに、可動壁用目地プレートの自重によって、可動壁用目地プレート水平移動機構を元の状態に自動的に戻すことができる。
【図面の簡単な説明】
【図１】本発明の第１の実施の形態の平面図。
【図２】図１の２−２線に沿う断面図。
【図３】図１の３−３線に沿う断面図。
【図４】可動壁用目地プレート水平移動機構の説明図。
【図５】目地部が狭くなった状態の平面図。
【図６】図５の６−６線に沿う断面図。
【図７】目地部が広くなった状態の平面図。
【図８】図７の８−８線に沿う断面図。
【図９】本発明の第２の実施の形態の平面図。
【図１０】図９の１０−１０線に沿う断面図。
【図１１】図１０の１１−１１線に沿う断面図。
【図１２】本発明の第３の実施の形態の平面図。
【図１３】図１２の１３−１３線に沿う断面図。
【図１４】図１３の１４−１４線に沿う断面図。
【図１５】本発明の第４の実施の形態の平面図。
【図１６】図１５の１６−１６線に沿う断面図。
【図１７】目地部が狭くなった状態の断面図。
【符号の説明】
１、１Ａ、１Ｂ、１Ｃ：目地装置、
２：目地部、            ３：建物、
４：床躯体、            ５：傾斜面、
６：スライド凹部、
７：床用目地プレート支持凹部、
８：傾斜面、            ９：床用目地プレート、
１０：支持片、          １１：支持片挿入凹部、
１２：支持具、          １３：壁躯体、
１４：ヒンジ部材、      １５：スライド凹部、
１６：傾斜面、
１７、１７Ａ、１７Ｂ：壁用目地プレート、
１８、１８Ａ、１８Ｂ：可動壁用目地プレート、
１９：付勢スプリング、
２０、２０Ａ：可動壁用目地プレート水平移動機構、
２１：枢支ピン、        ２２：作動アーム、
２３：枢支ピン、        ２４：押し上げアーム、
２５：作動杆、          ２６：カバー材、
２７：カバープレート、  ２８：ヒンジ部材、
２９：ヒンジ部材、      ３０：付勢スプリング、
３１：取付金具、        ３２：レール、
３３：支持部材、        ３４：枢支ピン、
３５：押し上げアーム、  ３６：係止片。
【図１】
2004238822.tif 000003
【図２】
2004238822.tif 000004
【図３】
2004238822.tif 000005
【図４】
2004238822.tif 000006
【図５】
2004238822.tif 000007
【図６】
2004238822.tif 000008
【図７】
2004238822.tif 000009
【図８】
2004238822.tif 000010
【図９】
2004238822.tif 000011
【図１０】
2004238822.tif 000012
【図１１】
2004238822.tif 000013
【図１２】
2004238822.tif 000014
【図１３】
2004238822.tif 000015
【図１４】
2004238822.tif 000016
【図１５】
2004238822.tif 000017
【図１６】
2004238822.tif 000018
【図１７】
2004238822.tif 000019